(57)【要約】【課題】従来の身体に取付けて使用するタイプの小物収納ポーチとして、ベルトに通す為のベルト通し帯を有する小物収納ポーチ、またはスマートフォンケースがあるが、それはベルトにベルト通し帯を通して使用される為、取り外す必要があった時には、ベルトからベルト通し帯を引き抜かないといけないため、容易に取り外すことができない。【解決方法】上記課題を解決する本発明は、身体に取付けられるフック付きの円形状のベース部材と、前記円形状のベース部材の外周が係合する係合片を有し、係合片の一部が半径方向に移動ができるように付勢されて前記ベース部材に着脱される取付部材を具備することを特徴とする取付具である。【選択図】  図１
2019037647.tif 000002
【特許請求の範囲】
【請求項１】
身体に取付けられるフック付きの円形状のベース部材と、前記円形状のベース部材の外周が係合する係合片を有し、係合片の一部が半径方向に移動ができるように付勢されて前記ベース部材に着脱される取付部材を具備することを特徴とする取付具
【発明の詳細な説明】
【技術分野】
【０００１】
本発明は、使用者が小物収納ポーチまたはスマートフォンケースを身体に容易に脱着できる様にする為の取付具に関するものである。
【背景技術】
【０００２】
従来の身体に取付けて使用するタイプの小物収納ポーチ、またはスマートフォンケースの種類と取り付け、取り外しのことや使用感について以下に説明する。
【０００３】
まず一つ目は、ベルトに通す為のベルト通し帯を有する小物収納ポーチ、またはスマートフォンケースである。それはベルトにベルト通し帯を通して使用される為、取り外す必要があった時には、ベルトからベルト通し帯を引き抜かないといけないため、容易に取り外すことができない。
【０００４】
二つ目は、カラビナ等の金具を付帯した小物収納ポーチ、またはスマートフォンケースである。この場合、ズボンのベルトループＴ２等にカラビナを引っ掛けて使用する為、小物収納ポーチ、またはスマートフォンケースを取り外す際にはカラビナをベルトループＴ２から取り外すだけなので容易であるが、該小物収納ポーチ、またはスマートフォンケースを取り付けて使用している時は、ズボンのベルトループ等にそれを引っ掛けるだけなので、該小物収納ポーチ、またはスマートフォンケースがブラブラと不安定に動き回り、その為、安定性に欠ける上に、その不安定さゆえに見栄えが良いとは言えない。
【０００５】
三つ目は、金属製やプラスチック製のクリップを有する小物収納ケースまたはスマートフォンケースである。該クリップ部をベルト等に取り付けた場合、取り外すことは容易に出来るが、その分不用意に外れる可能性がある為、落下や盗難等の恐れがある。
【０００６】
四つ目は、いわゆるウエストポーチと言われるものである。それは、小物収納ポーチの両端に、身体の胴部に巻き付ける為のベルトの様な帯が伸びており、その帯の両端部に、それぞれの端部が係り止めできる留め具を有し、該ウエストポーチを身体の胴部に巻き付けてそれぞれの端部を係り止めして使用するもので、頻繁に取り外すことは想定されていない。外見面では身体に巻き付ける帯を有している為に決して見栄えが良いとは言えず、特にビジネスシーンでの使用は殆どないと言って良い。
【０００７】
上記のことから、これまでの小物収納ポーチ、またはスマートフォンケースは、それを頻繁に脱着させることを想定して作られているものは無いと言える。簡単に脱着が出来、しかも不用意には外れない様な該小物収納ポーチ、またはスマートフォンケースがあれば良いと考えるのだが、それは例えば、通勤時や移動時に非接触方式の自動改札機を通過する際に定期券やプリペイドカード（SUICA等）が入った小物収納ポーチ、またはスマートフォンケースをそのまま取り外し、タッチして通過すると便利であり、また、小銭入れを付帯した該小物収納ポーチ、またはスマートフォンケースがあると仮定した場合、それを身体に付けたまま小銭を取り出すより、それを外して小銭を出す方が便利ではあると考えたからである。しかし現在のところ、その様な小物収納ポーチ、またはスマートフォンケースは無い。
【０００８】
どの様にすれば、上記の様な便利な小物収納ポーチ、またはスマートフォンケースが提供可能であろうかと考えた時、気付いた点が身体側に取付部材（ベース部）をあらかじめ取付けておき、そこに別の取付部材（キャッチャー部）を有する小物収納ポーチ、またはスマートフォンケースを脱着させることが出来れば、従来の小物収納ポーチ、またはスマートフォンケースの脱着の不便さと使用感の欠点が補えると考えた。これが本発明のきっかけである。
【０００９】
常にスマートフォンを持ち歩く時代が到来した今、特にビジネスシーンで脱着が容易で使用感が良く、且つ見栄えが優れる新しいタイプの小物収納ポーチ、またはスマートフォンケースの出現が期待されており、本発明はその期待に応える為のひとつの手段として有効であると考える。
【先行技術文献】
【特許文献】
【００１０】
【特許文献１】特開2008−264456装着式ポーチ
【特許文献２】特開2002−119322ポーチまたは類似装置を取り付けるための取付用クリップ
【発明の概要】
【発明が解決しようとする課題】
【００１１】
（イ）ベルトに直接通すタイプの小物収納ポーチ、またはスマートフォンケースは、簡単に取り外すことが出来ない。
（ロ）カラビナ等を付帯した小物収納ポーチ、またはスマートフォンケースはベルトループに引っ掛けるだけなので、該小物収納ポーチ、またはスマートフォンケースに安定感がなく、且つ、その不安定さゆえに見栄えとして優れない。
（ハ）金属製やプラスチック製のクリップを有する小物収納ケース、またはスマートフォンケースは、外れやすく、落下や盗難の恐れがある。
（二）いわゆるウエストポーチは、形状的に、特にビジネスシーンには向かない。
（ホ）定期入れ等のカード類、小銭、またはスマートフォンを通勤用バック等に入れる場合が多い。その場合、必要なものを取り出す時に手間取ることがある。
（ヘ）スーツなどの衣類にカードケースやスマートフォンを入れる場合も多くあり、その場合は、取り出すことは容易に出来るが、スーツなどの衣類にカードケースやスマートフォンを常に入れていると、スーツ等の型崩れが生じることがある。
【００１２】
本発明は、これらの問題を解決しようとする為に、身体側には、ベース部、小物収納ポーチ、またはスマートフォンケース側にはキャッチャー部を供し、それらを脱着させることにより、前述の様なさまざまな問題を解決し得る脱着部材を提供するものである。
【課題を解決するための手段】
【００１３】
身体に取付けられるフック付きの円形状のベース部材と、前記円形状のベース部材の外周が係合する係合片を有し、係合片の一部が半径方向に移動ができるように付勢されて前記ベース部材に着脱される取付部材を具備することを特徴とする取付具である。
【発明の効果】
【００１４】
（イ）身体側に取り付ける為のベース部と、それと係合関係にあり、且つ容易に脱着が出来る様に施された小物収納ポーチ、またはスマートフォンケースに固定されたキャッチャー部の存在により、小物収納ポーチ、またはスマートフォンケースは、身体への脱着が容易となり、また一度、取り付けたら意図して取り外さない限りは、不用意に落下することがない。
（ロ）身体側に取り付ける為のベース部と小物収納ポーチ、またはスマートフォンケースに固定されているキャッチャー部に係合関係が成り立っている為、小物収納ポーチ、またはスマートフォンケースを身体側のベース部に取り付けた時に、安定状態を保てる。
（ハ）身体側に取り付ける為のベース部が円形状になっている為、これと係合関係にあるキャッチャー部が固定されている小物収納ポーチ、またはスマートフォンケースをベース部に取り付けた時、ベース部に対して円周方向に回動が可能となる。
（二）小物収納ポーチ、またはスマートフォンケースに固定されるキャッチャー部の係合片内部は、開口部を除き、身体側に取り付けるベース部に対して円弧を描く様な形状となっている為に、該ベース部に、小物収納ポーチ、またはスマートフォンケースを取り付けた時、その荷重を該円弧形状部で支えることが出来る。
【図面の簡単な説明】
【００１５】
【図１】フック付きベース部の外観斜視図
【図２】フック付きベース部断面図
【図３】フック部背面図
【図４】小物ポーチ用キャッチャー部斜視図
【図５】ベース部本体とキャッチャー部断面図
【図６】スライド部内部構造断面図、および裏面図
【図７】小物収納ポーチ、またはスマートフォンケースの取付図
【図８】小物ポーチ用キャッチャー部正面図１
【図９】小物ポーチ用キャッチャー部正面図２
【図１０】小物ポーチ用キャッチャー部正面図３
【図１１】ベース部本体とキャッチャー部断面拡大図
【発明を実施するための形態】
【００１６】
図１は、フック付きベース部１の斜視図であり、それはズボンＴに付けられるベルトＢに装着される。フック付きベース部１は、ベルトＢに取り付ける為のフック部２とフック部２に固定されるベース部３からなる。
【００１７】
図２は、フック付きベース部１の断面図である。図２で示す通り、ベース部３は、フック部前面２ａに固定されている。固定の方法は本発明においては特に重要ではないので詳細には説明しないが、フック部前面２ａにネジ穴を設け、ネジ溝を有するベース部本体脚部３ｂを挿入して固定する方法や、フック部２とベース部３を一体成型する方法がある。フック部２の内側のフックスペース２ｂは、ベルトＢにフック付きベース部１が装着される際、ベルトＢが収まるスペースとなる為、フックスペース２ｂの断面は、ベルト断面Ｂ１とほぼ同形状の縦長の長方形となる。フック部開口部２ｃはベルトＢにフック付きベース部１を装着する際の挿入口となる。フック部前面裏側面２ｄとフック部ツメ２ｅ切り口は一直線上に形成されている為、フック付きベース部１をベルトＢに装着する際、該フック部開口部２ｃは、少なくともベルト厚Ｂ２か、それより少しゆとりを持たせた分、すなわちフック部拡張幅２ｆの分だけ広げる必要がある。このことを可能にする為に、フック部２は、フック部拡張幅２ｆの分を広げられる程度の弾性を有する素材で形成される必要がある。フック付きベース部１は、フック部開口部２ｃからフック部拡張幅２ｆの分、広げられながらベルトＢ上部に差し込まれ、フック付きベース部１がベルトＢに対して下方向に押し込まれながらフック部ツメ２ｅ部分がベルト最下部に到着するまで移動する。フック部ツメ２ｅ部分が、ベルト最下部まで到達した時にフック部２の素材の復元力により、フック部２は元形状に戻る。この状態になった時には、フック付きベース部１はベルトＢをしっかり包み込んだ様な状態となる為、再度フック部拡張幅２ｆ程度を広げない限り、すなわち故意に取り外そうとしない限りは、フック付きベース部１が、ベルトＢから容易には外れることはない。
【００１８】
図２が示す通り、ベース部３は、ベース部本体３ａとベース部本体脚部３ｂとで形成されている。ベース部本体３ａは、円形状で、正確に言うと薄型の円柱形である。該ベース部本体３ａが後述する小物ポーチ用キャッチャー部４と係合する。ベース部本体側面３ｃは、滑らかに研磨されている。それは小物ポーチ用キャッチャー部４と係合した際に意味を成してくるが、ベース部本体３ａが円形状になっていることと、ベース部本体側面３ｃが滑らかに研磨されている意味合いについては後述することとする。
【００１９】
図３は、フック部２の背面図である。便宜上、図３にはベース部３は含まれていない。フック部後面２ｇは、図３が示す通り、ズボンＴ等に設けられたベルト通し用のベルトループＴ２のスペース分をベルトループスリット２ｈとして切り欠いている。これは、フック付きベース部１をベルトＢに取り付ける際、ベルトループＴ２の有無に関係なく取り付けられることが出来る様に工夫を施したものである。
【００２０】
本発明は、小物収納ポーチ、またはスマートフォンケースＰを身体に取付けることを目的になされたものであるが、小物収納ポーチ、またはスマートフォンケースＰを本発明を使って身体に取り付けようとしている人は、何もベルトを使用している人だけではない。例えば、女性の場合は、スカートを着用している場合も多くある。フック部２の形状は、ベルトを使っている人にとっては、最も相応しい形状であると思われるが、ベルトを使わない様な衣服、例えばスカート等を着用している場合は、フック部２の形状に拘らず、例えば、クリップタイプのフック部を使用するなど、着用している衣服に相応しい形状のものを選択することが望ましい。
【００２１】
図４は、小物ポーチ用キャッチャー部４の斜視図である。小物ポーチ用キャッチャー部の“小物ポーチ用”という呼称は、略称であり、本来は、小物収納ポーチ用、またはスマートフォンケース用の両方のことを指すが、便宜上“小物ポーチ用”として略称することにしている。該小物ポーチ用キャッチャー部４は、固定部本体４ａと、固定部係合片４ｂとスライド部係合片４ｃとスライド部４ｄと、スライド部操作片４eとで形成される。固定部係合片４ｂとスライド部係合片４ｃの内側部は、ベース部本体３ａの外周形と係合関係を成している。また固定部係合片４ｂとスライド部係合片４ｃの内側部は、ベース部本体３ａの外周に合わせて円弧を描く様に形成されている。図４で示す通り、係合片壁４ｈの上部には、キャッチャー部上面４ｊに平行して、キャッチャー部上面４ｊの中心部に向かって係合片ツメ部４ｋが形成されている。該係合片ツメ部４ｋは、ベース部本体３ａに小物ポーチ用キャッチャー部４を取り付けた時にベース部本体３ａから小物ポーチ用キャッチャー部４が外れない様にするために形成されたものである。
【００２２】
前述の通り、固定部係合片４ｂと、スライド部係合片４ｃ内側部は、ベース部本体３ａ外周部と係合関係を成し、且つ、固定部係合片４ｂとスライド部係合片４ｃの内側部は、ベース部本体３ａの外周に合わせて円弧を描く様にアーチ状になっているが、それは、小物ポーチ用キャッチャー部４をベース部本体３ａに取り付ける際に、ベース部本体３ａ外周部との接触面積を増やす為で、接触面積が増えることにより固定部係合片４ｂとスライド部係合片４ｃによるベース部本体３ａへの保持力や係合力が強まる。また同時にベース部本体３ａ外周部と、固定部係合片４ｂとスライド部係合片４ｃの接触面積が増えることにより固定部係合片４ｂとスライド部係合片４ｃが小物ポーチ用キャッチャー部４に固定されている小物収納ポーチ、またはスマートフォンケースＰの荷重を、しっかりと支えることが可能となる。もちろん、固定部係合片４ｂとスライド部係合片４ｃは、小物収納ポーチ、またはスマートフォンケースＰの荷重が支えられるに相当する強度が必要であるということは言うまでもない。
【００２３】
図５は、小物ポーチ用キャッチャー部４の断面図である。スライド部４ｄの内部構造については、次項で説明するので引っ張りバネ等の記載は省いている。図に示すとおり、キャッチャー部内径４ｎと、ベース部本体直径３ｅはほぼ同じ長さで形成される。また、係合片内側高さ４ｍは、ベース部本体高さ３ｄよりやや長く形成されている。
【００２４】
図６は、スライド部４ｄの構造と機能を示す断面図と背面図である。スライド部４ｄの裏面には、引っ張りバネ４ｄ−１を収納する為のスライド部スリット４ｄ−２が設けられており、引っ張りバネ４ｄ−１の一端は、キャッチャー部底面４ｆに設けたキャッチャー部底面バネツメ４ｆ−１に掛け止めされ、もう一端はスライド部バネツメ４ｄ−３に掛け止めされる。スライド部４ｄはスライド部操作片４eを指で押すことにより図６で示す通り、可動域の範囲で半径方向に移動することができ、スライド部操作片４eから指を離した時に引っ張りバネ４ｄ−１の作用により元の状態に戻る仕組みである。
【００２５】
小物ポーチ用キャッチャー部４は、小物収納ポーチ、またはスマートフォンケースＰの背面の任意の位置に固定される。実施例として、図７では、小物収納ポーチ、またはスマートフォンケースＰの背面上部に、斜めに配した小物ポーチ用キャッチャー部４を示した。小物収納ポーチ、またはスマートフォンケースＰの背面に該小物ポーチ用キャッチャー部４を固定させる方法は、本発明では特に重要ではない為、詳細には説明しないが、接着剤や金具で固定する方法や、キャッチャー部底面４ｆに板を取り付け、それを小物収納ポーチ、またはスマートフォンケースＰの背面に設けたポケットに差し込む方法等が考えられる。小物ポーチ用キャッチャー部４は、図７の実施例の様に小物収納ポーチ、またはスマートフォンケースＰに固定されるが、小物ポーチ用キャッチャー部４の役割は、前述のフック付きベース部１に取り付けられ、または、保持され、取り外されることにあり、それがすなわち、本発明においては、身体に小物収納ポーチ、またはスマートフォンケースＰを“取り付け”、または“取り外す”ことを意味するものである。
【００２６】
小物ポーチ用キャッチャー部４をフック付きベース部１に取り付けたり、取り外したりする時の手順について図８〜１０を用いながら説明する。図は便宜上、小物ポーチ用キャッチャー部４だけを記載しているが、実際は、小物ポーチ用キャッチャーは、前述のとおり、図７のように、小物収納ポーチ、またはスマートフォンケースＰに固定されている為、当然のことながら、小物ポーチ用キャッチャー部４の動きは、小物収納ポーチ、またはスマートフォンケースＰの動きを伴う。図８は、キャッチャー部開口部４ｇを可動域最大まで開いた状態である。前述のとおり、スライド部操作片４eを指で押すことで、スライド部４ｄが可動を開始し、それに伴い、キャッチャー部開口部４ｇも開く。そして開口した状態のまま、使用者は、小物ポーチ用キャッチャー部４自体をフック付きベース部１に近づけていき、ベース部本体３ａとキャッチャー部開口部４ｇの開口面を合わせながら固定部係合片４ｂ内部とスライド部係合片４ｃ内部にベース部本体３ａを滑り込ませる様に差し込んでいく。ベース部本体３ａが完全に差し込まれた段階で、スライド部操作片４eから指から離すと小物ポーチ用キャッチャー部４、すなわち、固定部係合片４ｂ内部とスライド係合片４ｃ内部とキャッチャー部上面４ｊはベース部本体３ａを内包しながら、係合した状態となる。その状態を示しているのが、図９である。そしてこの状態は“小物収納ポーチ、またはスマートフォンケースＰをフック付きベース部１に取り付けた状態“を意味する。逆に取り外す場合は、今一度、指でスライド部操作片４eを押して、スライド部４ｄを半径方向に移動させ、開口した状態のまま、小物ポーチ用キャッチャー部４、すなわち、固定部係合片４ｂ内部とスライド係合片４ｃ内部とキャッチャー部上面４ｊをベース部本体３ａから引き抜いていき、小物ポーチ用キャッチャー部４が、ベース部本体３ａから完全に離れた状態の時に、スライド部操作片４eを指から離すと引っ張りバネ４ｄ−１の復元力で、図１０の様に、元の状態に戻る。これは“小物収納ポーチ、またはスマートフォンケースＰをフック付きベース部１から取り外した状態“を意味する。
【００２７】
図１１は、小物用キャッチャー部４の特にスライド部係合片４ｃを拡大した図である。
ベース部本体３ａに小物ポーチ用キャッチャー部４を取り付けた時、ベース部本体側面３ｃは、引っ張りバネ４ｄ−１の復元力を持ったスライド部４ｄのスライド部係合片４ｃ内部から受けるべき圧迫を受けないまま係合される場合がある。それだと締結力不足になる可能性があるので、ベース部本体側面３ｃが該スライド部係合片４ｃ内部からほど良い圧力を受けられる様に、図１１の様にスライド部係合片４ｃ内部に係合片内部スペーサ４ｐを取り付けることで、締結力を強化させることも選択肢として考えられる。
【００２８】
本発明を実施するにあたり重要な点は、ベース部本体３ａに小物ポーチ用キャッチャー部４を一度取り付けたら、故意に取り外す時以外は、容易に外れない様にすることである。これは、固定部係合片４ｂと、スライド部係合片４ｃ、そして固定部本体４ａがベース部本体３ａを開口部以外でしっかりと包み込んで係合していること、また、スライド部４ｄに内蔵した引っ張りバネ４ｄ−１がベース部本体側面３ｃを圧迫することでそれを可能にしている。圧迫の強さに関しては、スペース４ｐを取り付けることと、スライド部４ｄに内蔵された引っ張りバネ４ｄ−１の強度を調整することで最適な状態に調整することができる。
【００２９】
最後にベース部本体３ａが、円形状になっていることと、ベース部本体側面３ｃが滑らかに研磨されていること、この２つの理由について説明する。まず、ベース部本体３ａが円形状になっている理由は、小物収納ポーチ、またはスマートフォンケースＰをベース部本体３ａに対して円周方向に回動できる様にする為である。回動させることについてのメリットについては２点挙げられる。１点目は、例えば、小物収納ポーチ、またはスマートフォンケースＰをフック付きベース部１に取り付けた状態で、着座する際、小物収納ポーチ、またはスマートフォンケースＰの下部が、椅子等の座面に当たって邪魔になる場合がある。この場合、小物収納ポーチ、またはスマートフォンケースＰをベース部本体３ａに対して円周方向に回動させることで干渉を避けられる場合がある。２点目は、多くの実験の結果、小物収納ポーチ、またはスマートフォンケースＰをフック付きベース部１に取り付ける時や、取り外す時、小物収納ポーチ、またはスマートフォンケースＰの角度が横向きになっていた方が取り付け、取り外しがしやすいことが分かった。その為にベース部本体３ａを円形状にし、回動可能な構造にした。また、前述のとおり、取り付け時の締結力を強める為に、ベース部本体側面３ｃは、スライド部係合片４ｃから相応の圧迫を受けることとなり、その状況下で小物収納ポーチ、またはスマートフォンケースＰを滑らかに回動させようとするには、ベース部本体側面３ｃは滑らかに研磨されている方が望ましいのである。
【符号の説明】
【００３０】
１  フック付きベース部
２  フック部
２ａ  フック部前面
２ｂ  フックスペース
２ｃ  フック部開口部
２ｄ  フック部前面裏側面
２ｅ  フック部ツメ
２ｆ  フック部拡張幅
２ｇ  フック部後面
２ｈ  ベルトループスリット
３  ベース部
３ａ  ベース部本体
３ｂ  ベース部本体脚部
３ｃ  ベース部本体側面
３ｄ  ベース部本体高さ
３ｅ  ベース部本体直径
４  小物ポーチ用キャッチャー部
４ａ  固定部本体
４ｂ  固定部係合片
４ｃ  スライド部係合片
４ｄ  スライド部
４ｄ−１  引っ張りバネ
４ｄ−２  スライド部スリット
４ｄ−３  スライド部バネツメ
４ｅ  スライド部操作片
４ｆ  キャッチャー部底面
４ｆ−１  キャッチャー部底面バネツメ
４ｇ  キャッチャー部開口部
４ｈ  係合片壁
４ｊ  キャッチャー部上面
４ｋ  係合片ツメ部
４ｍ  係合片内側高さ
４ｎ  キャッチャー部内径
４ｐ  係合片内部スペーサ
Ｂ  ベルト
Ｂ１  ベルト断面
Ｂ２  ベルト厚
Ｔ  ズボン
Ｔ２  ベルトループ
Ｐ  小物収納ポーチ、またはスマートフォンケース
【図１】
2019037647.tif 000003
【図２】
2019037647.tif 000004
【図３】
2019037647.tif 000005
【図４】
2019037647.tif 000006
【図５】
2019037647.tif 000007
【図６】
2019037647.tif 000008
【図７】
2019037647.tif 000009
【図８】
2019037647.tif 000010
【図９】
2019037647.tif 000011
【図１０】
2019037647.tif 000012
【図１１】
2019037647.tif 000013
【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
ベルトや衣服に取り付けられるフック付きの円形状のベース部と、
小物ポーチに固定され、前記ベース部の外周と係合する係合片を有する固定部本体と、この固定部本体にスライド可能に取り付けられ、前記固定部本体に対して半径方向に移動可能であって、前記ベース部の外周と係合する係合片を有するスライド部を備えたキャッチャー部と、
前記キャッチャー部に前記ベース部を前記キャッチャー部における固定部本体の係合片
と前記スライド部における係合片との間に保持する状態で取り付けるように設けられた
バネとを具備することを特徴とする取付具。
【手続補正２】
【補正対象書類名】明細書
【補正対象項目名】０００５
【補正方法】削除
【補正の内容】
【手続補正３】
【補正対象書類名】明細書
【補正対象項目名】００１１
【補正方法】変更
【補正の内容】
【００１１】
（イ）ベルトに直接通すタイプの小物収納ポーチ、またはスマートフォンケースは、簡単に取り外すことが出来ない。
（ロ）カラビナ等を付帯した小物収納ポーチ、またはスマートフォンケースはベルトループに引っ掛けるだけなので、該小物収納ポーチ、またはスマートフォンケースに安定感がなく、且つ、その不安定さゆえに見栄えとして優れない。
（二）いわゆるウエストポーチは、形状的に、特にビジネスシーンには向かない。
（ホ）定期入れ等のカード類、小銭、またはスマートフォンを通勤用バック等に入れる場合が多い。その場合、必要なものを取り出す時に手間取ることがある。
（ヘ）スーツなどの衣類にカードケースやスマートフォンを入れる場合も多くあり、その場合は、取り出すことは容易に出来るが、スーツなどの衣類にカードケースやスマートフォンを常に入れていると、スーツ等の型崩れが生じることがある。
【手続補正４】
【補正対象書類名】明細書
【補正対象項目名】００１３
【補正方法】変更
【補正の内容】
【００１３】
ベルトや衣服に取り付けられるフック付きの円形状のベース部と、
小物ポーチに固定され、前記ベース部の外周と係合する係合片を有する固定部本体と、この固定部本体にスライド可能に取り付けられ、前記固定部本体に対して半径方向に移動可能であって、前記ベース部の外周と係合する係合片を有するスライド部を備えたキャッチャー部と、
前記キャッチャー部に前記ベース部を前記キャッチャー部における固定部本体の係合片
と前記スライド部における係合片との間に保持する状態で取り付けるように設けられた
バネとを具備することを特徴とする取付具。
【手続補正書】
【提出日】平成30年5月11日(2018.5.11)
【手続補正１】
【補正対象書類名】特許請求の範囲
【補正対象項目名】全文
【補正方法】変更
【補正の内容】
【特許請求の範囲】
【請求項１】
ベルトや衣服に取り付けられるフック付きの円形状のベース部と、
小物ポーチに固定され、前記ベース部の外周と係合する内側が円弧状の係合片を有する固定部本体と、この固定部本体にスライド可能に取り付けられ、前記ベース部の外周と係合する内側が円弧状の係合片を有し、この係合片内側部と前記固定部本体の係合片内側部と前記固定部本体上面との間の前記ベース部が係合される為に形成される円形空間の円形面に対して半径方向に移動可能であるスライド部と、を備えたキャッチャー部と、
前記ベース部を前記固定部本体の係合片と前記スライド部の係合片との間に保持する状態で取り付けられるように前記スライド部に接する前記固定部本体の面と、前記固定部本体に接する前記スライド部の面と、の間に設けられたバネと、
を具備することを特徴とする取付具。